(57)【特許請求の範囲】
【請求項１】
競技場のフィールド内に埋設される上部が開口した外箱と、該外箱の内側で水平方向に延びる中心軸回りに回転自由に支持されると共に、一面に競技者が高跳び用棒を突く箇所となる突面が形成された内箱と、該内箱が回転しないように固定する一方、必要に応じてその固定を解除可能な固定手段と、該固定手段により内箱が固定された状態で、前記外箱の上部開口部において前記内箱と外箱との隙間を埋めるべく該内箱の両側に夫々配置される側部ふたと、を含んで構成される棒高跳び競技用設備であって、
前記固定手段は、板面が水平方向に延びてその一端部が前記外箱の内側面への固定部となる取付板部と、板面が水平方向及び鉛直方向に延びるＬ字断面形状の部材であって、水平方向に延びる板面が前記取付板部の上面に回転自由に結合され、鉛直方向に延びる板面が前記内箱の側面への当接面となる固定板部と、該固定板部の鉛直方向に延びる板面に開設された貫通孔に挿通されて、前記内箱の側面に形成された雌ねじ部に嵌合するボルトと、を含んで構成されたことを特徴とする棒高跳び競技用設備。
【請求項２】
前記内箱の回転支持部には、軸受が設けられていることを特徴とする請求項１記載の棒高跳び競技用設備。
【請求項３】
前記競技場のフィールド表面に表層材が張り付けられている場合は、
前記内箱の一面であって前記突面が形成された面と反対側の面に、該面が上面となったときに前記フィールド面と同一面となるように表層材を張り付けると共に、前記側部ふたの一面に、該側部ふたを設置したときに前記フィールド面と同一面となるように表層材を張り付けたことを特徴とする請求項１又は２に記載の棒高跳び競技用設備。
【発明の詳細な説明】
【０００１】
【発明の属する技術分野】
本発明は、棒高跳び競技用設備に関し、特に、設備の設置及び撤収を容易にする技術に関する。
【０００２】
【従来の技術】
我が国では各種スポーツを行う競技場は、例えば、陸上競技場やサッカー競技場として多目的に使用されている。そのため、各種競技に合わせた設備を常時設置しておくことができず、競技を行うに際して設備を設置し、競技終了後に設備を撤収する必要がある。
【０００３】
例えば、フィールドの表面が表層ウレタンで覆われている競技場で陸上競技の棒高跳びを行う場合には、競技者が高跳び用棒を突く箇所である突面部を覆っている表層ウレタン付きステンレス製のふた（以下「ステンレスふた」という）を専用工具を使用して取り外し、表層ウレタンとの段差を合わせるための表層基準枠を、突面部周囲にボルトで固定して競技の準備を行っていた。
【０００４】
【発明が解決しようとする課題】
しかしながら、前記ステンレスふたは、例えば、約３０ｋｇある重量物であるため、ふたの取り外し等には少なくとも２人の作業員が必要であり、また、そのふたは競技終了まで倉庫等の保管場所に保管しなければならず、その運搬用の台車も必要であった。さらに、競技終了後には、他の競技に支障のないよう設備を撤収しなければならず、設備の設置及び撤収に大変な労力が必要であった。
【０００５】
そこで、本発明は以上のような従来の問題点に鑑み、運搬作業及び重量物の取扱作業を不要とし、設備の設置及び撤収を容易にした棒高跳び競技用設備を提供することを目的とする。
【０００６】
【課題を解決するための手段】
このため、請求項１記載の発明は、競技場のフィールド内に埋設される上部が開口した外箱と、該外箱の内側で水平方向に延びる中心軸回りに回転自由に支持されると共に、一面に競技者が高跳び用棒を突く箇所となる突面が形成された内箱と、該内箱が回転しないように固定する一方、必要に応じてその固定を解除可能な固定手段と、該固定手段により内箱が固定された状態で、前記外箱の上部開口部において前記内箱と外箱との隙間を埋めるべく該内箱の両側に夫々配置される側部ふたと、を含んで構成される棒高跳び競技用設備であって、前記固定手段を、板面が水平方向に延びてその一端部が前記外箱の内側面への固定部となる取付板部と、板面が水平方向及び鉛直方向に延びるＬ字断面形状の部材であって、水平方向に延びる板面が前記取付板部の上面に回転自由に結合され、鉛直方向に延びる板面が前記内箱の側面への当接面となる固定板部と、該固定板部の鉛直方向に延びる板面に開設された貫通孔に挿通されて、前記内箱の側面に形成された雌ねじ部に嵌合するボルトと、を含んで構成した。
【０００７】
請求項２記載の発明は、前記内箱の回転支持部に、軸受を設けた。
【０００８】
請求項３記載の発明は、前記競技場のフィールド表面に表層材が張り付けられている場合は、前記内箱の一面であって前記突面が形成された面と反対側の面に、該面が上面となったときに前記フィールド面と同一面となるように表層材を張り付けると共に、前記側部ふたの一面に、該側部ふたを設置したときに前記フィールド面と同一面となるように表層材を張り付けた。
【０００９】
【発明の実施の形態】
以下、添付された図面を参照して本発明を詳述する。
図１は、本発明に係る棒高跳び競技用設備の一実施形態を示し、図示しないフィールド表面が表層ウレタンで覆われている競技場に埋設されるものである。
棒高跳び競技用設備１は、競技場のフィールド内に埋設される上部が開口した外箱２と、外箱２の内側で回転自由に支持される内箱３と、内箱３が回転しないように外箱２と内箱３とを４ヶ所で固定し、必要に応じてその固定を解除可能な固定用金具（固定手段）４と、外箱２の上部開口部において内箱３と外箱２との隙間を埋めるべく内箱３の両側に夫々配置されるアルミ合金製の軽量な側部ふた５ａ，５ｂと、を含んで構成される。
【００１０】
内箱３の一面には、競技者が高跳び用棒を突く箇所となる突面３ａが形成され、この面と表裏関係にある一面には、内箱３が回転してこの一面が上面となったときに、フィールド面と同一面となるように表層材としての表層ウレタン３ｂが張り付けられている。また、内箱３の長手方向の両側面には、夫々、内箱３の回転中心となるシャフト６が挿通する挿通孔３ｃが開設されると共に、内箱３の内面にシャフト６を軸支する円筒形状の軸受７が溶接等により固着される。さらに、この長手方向に直交する両側面には、夫々、固定用金具４が締結される雌ねじ部３ｄが２ヶ所ずつ形成されている。
【００１１】
内箱３の長手方向の両側面に対面する外箱２の両側面内側には、夫々、前記シャフト６が嵌合固定される軸受７が溶接等により固着され、この両側面と直交する外箱２の両側面には、夫々、固定用金具４が２箇所ずつ溶接等により固着される。
そして、シャフト６は、内箱３の内側から軸受７及び内箱３の挿通孔３ｃを挿通し、外箱２に固着された軸受７に嵌合固定され、内箱３は、この両端部を軸受７によって支持されたシャフト６を中心軸として回転可能となっている。
【００１２】
また、固定用金具４は、板面が水平方向に延びてその一端部が外箱２への固定部となる矩形形状の取付板部４ａと、板面が水平方向及び鉛直方向に延びるＬ字断面形状の部材であって、水平方向に延びる板面が取付板部４ａの上面に固定ボルト４ｂ等によって水平面上で回転自由に結合され、鉛直方向に延びる板面が内箱３の側面への当接面となる固定板部４ｃと、固定板部４ｃの鉛直方向に延びる板面に開設された貫通孔４ｄに挿通されて、内箱３の側面に形成された雌ねじ部３ｄに嵌合するボルト４ｅと、を含んで構成される。
【００１３】
側部ふた５ａ，５ｂの一面には、夫々、設置時にフィールド面と同一面となるように表層ウレタン５ｃが張り付けられている。
次に、かかる構成をなす棒高跳び競技用設備１の作用・効果について、図２及び図３を参照しつつ説明する。なお、図中の符号１０は、競技場のフィールド表面に張り付けられた表層ウレタンである。
【００１４】
図２(a)及び図３(a)は、棒高跳び競技を行っていないときの棒高跳び競技用設備１を示したもので、内箱３の表層ウレタン３ｂが張り付けられた面が上面となっており、固定用金具４によって内箱３が回転しないように固定されている。また、側部ふた５ａ，５ｂが内箱３の両側に配置され、フィールド面は他の競技に支障のないように平面となっている。
【００１５】
棒高跳び競技を行う場合には、図２（ｂ）  に示すように、側部ふた５ａ，５ｂを取り外し、固定用金具４のボルト４ｅを取り外す。そして、固定用金具４の固定板部４ｃを略９０°回転させてから、内箱３を１８０°回転させる。このとき、固定板部４ｃが回転することによって、内箱３と固定用金具４との干渉が防止される。
【００１６】
その後、図２（ｃ）  及び図３（ｂ）  に示すように、固定用金具４の固定板部４ｃを略９０°回転させ、固定板部４ｃの貫通孔４ｄ（図示せず）にボルト４ｅを挿通し内箱３の雌ねじ部３ｄに嵌合する。そして、内箱３と外箱２との隙間に側部ふた５ａ，５ｂを設置すれば、棒高跳び競技用設備１の準備が完了する。
また、競技終了後には、以上説明した準備工程を逆に行えば、競技前の状態に復帰することはいうまでもない。
【００１７】
このようにすれば、棒高跳び競技用設備１は、側部ふた５ａ，５ｂを取り外し、固定用金具４の解除を行って、内箱３を１８０°回転するだけで、設置状態或いは撤収状態とすることができるので、部材を運搬する必要がなくなると共に、従来では重量物であったステンレスふたが不要となり、代わりに設けられた側部ふたは小型軽量化されたものであるから、１人の作業員で作業を行うことができ、棒高跳び競技用設備の設置及び撤収をきわめて容易に行うことができるようになる。また、ステンレスふた及び表層基準枠の保管場所が不要となるので、省スペースの効果もある。
【００１８】
【発明の効果】
以上説明したように、請求項１記載の発明によれば、棒高跳び競技を行う場合には、側部ふたを取り外し、固定手段を解除して内箱を１８０°回転させ、固定手段の固定及び側部ふたの設置を行えば、棒高跳び競技用設備の設置が完了する。また、棒高跳び競技終了後には、側部ふたを取り外し、固定手段を解除して内箱を１８０°回転させ、固定手段の固定及び側部ふたの設置を行えば、棒高跳び競技用設備の撤収が完了する。従って、部材を運搬する必要がなくなると共に、従来では重量物であったステンレスふたが不要となり、代わりに設けられた側部ふたは小型軽量化されたものであるから、１人の作業者で作業を行うことができ、棒高跳び競技用設備の設置及び撤収をきわめて容易に行うことができるようになる。また、ステンレスふた及び表層基準枠の保管場所が不要となるので、省スペースの効果もある。さらに、固定手段は、取付板部、固定板部及びボルトを含んで構成される簡素な機構であるので、堅牢性が高く、長年の使用に十分耐えうることができる。
【００１９】
請求項２記載の発明によれば、内箱の回転支持部に設けられている軸受によって、内箱の回転を容易に行うことができ、棒高跳び競技用設備の設置及び撤収の労力が低減する。
【００２０】
請求項３記載の発明によれば、競技場のフィールド表面に表層材が張り付けられている場合には、内箱及び側部ふたの一面に、フィールド面と同一面となるように表層材が張り付けられているので、棒高跳び競技用設備が埋設されているフィールドの周囲の段差が極小となり、競技進行上の安全を確保することができる。また、棒高跳び競技を行っていないときには、フィールド面が平面となるので、他の競技に支障がない。
【図面の簡単な説明】
【図１】本発明に係る棒高跳び競技用設備の一実施形態を示す構成図
【図２】同上の準備工程の説明図で、（ａ）  は競技前の状態を示す正面図、（ｂ）  は準備中の状態を示す正面図、（ｃ）  競技中の状態を示す正面図
【図３】同上の準備工程の説明図で、（ａ）  は競技前の状態を示す側面図、（ｂ）  は競技中の状態を示す側面図
【符号の説明】
１  棒高跳び競技用設備
２  外箱
３  内箱
３ａ  突面
３ｂ  表層ウレタン
３ｄ  雌ねじ部
４  固定用金具
４ａ  取付板部
４ｂ  固定ボルト
４ｃ  固定板部
４ｄ  貫通孔
４ｅ  ボルト
５ａ，５ｂ  側部ふた
５ｃ  表層ウレタン
６  シャフト
７  軸受
【図１】
0003621537.tif 000002
【図２】
0003621537.tif 000003
【図３】
0003621537.tif 000004